(57)【要約】【課題】屋内の段差を解消し得る斜面を容易に与え得、且つ多少の高さの差が残っても足等で踏むことによって該差異が実際上解消され得る段差解消部材を提供すること。【解決手段】段差解消部材１は、床面Ｆ１に載置される底面２０と、低い床面部Ｆ１と高い床面部７２とをつなぐ傾斜面部４０とを備える。段差解消部材１は、柔軟な材料からなる。段差解消部材１は、ヒステリシス損のアル材料や粘弾性のある材料からなる。段差解消部材１は、典型的には、ＥＶＡ（エチレン−酢酸ビニル共重合体）の発泡体からなる。段差解消部材１の底面２０の少なくとも一部には、典型的には、粘着性の層５０Ａ，５０Ｂが形成されている。段差解消部材１は底面２０のうち段差解消部材１の延在方向Ｌに沿った部分に溝部５５を備える。傾斜面部４０の傾斜に沿う方向の長さＳ３は人の足の長さよりも小さい。【選択図】図１
0003163252.tif 000002
【実用新案登録請求の範囲】
【請求項１】
床面に載置される底面と、低い床面部と高い床面部とをつなぐ傾斜面部とを備えた段差解消部材であって、
柔軟な材料からなる段差解消部材。
【請求項２】
ヒステリシス損のある材料からなる請求項１に記載の段差解消部材。
【請求項３】
粘弾性のある材料からなる請求項１又は２に記載の段差解消部材。
【請求項４】
段差解消部材がＥＶＡ（エチレン−酢酸ビニル共重合体）の発泡体からなる請求項１から３までのいずれか一つの項に記載の段差解消部材。
【請求項５】
底面の少なくとも一部に粘着性の層が形成されている請求項１から４までのいずれか一つの項に記載の段差解消部材。
【請求項６】
底面のうち段差解消部材の延在方向に沿った部分に溝部を有する請求項１から５までのいずれか一つの項に記載の段差解消部材。
【請求項７】
傾斜面部の傾斜に沿う方向の長さが人の足の長さよりも小さい請求項１から６までのいずれか一つの項に記載の段差解消部材。
【考案の詳細な説明】
【技術分野】
【０００１】
本考案は、段差解消部材に係る。
【背景技術】
【０００２】
高齢者や病弱者や幼児等が屋内で移動するのに支承のある段差をなくす段差解消部材として、段差を傾斜面にする木製や金属製の段差解消具は、知られている。
【０００３】
また、段差解消部材として、横断面が三角形状や台形状になる三角柱状や四角柱状の弾性体を用いることも提案されている（特許文献１〜２）。ここで、弾性体としては、ゴムやプラスチックの独立発泡体（具体的には、ポリエチレンの独立発泡体）の使用が提案されている。
【０００４】
しかしながら、この特許文献１や２に開示の段差解消部材は、「ポリエチレン」の如きプラスチックの「独立発泡体」で出来ていて「繰返し使用されても強力な復元力があって変形する可能性がない」ものを念頭においており、圧縮変形を受けた場合に圧縮力が解除されると速やかに元の形状に復帰し得るような弾性体からなるものであって剛性が比較的高いものであると考えられる。なお、ゴムについての言及もあるけれども、単に併記されていることからゴムについても同様な特性のものを想定しているものと解される。従って、この特許文献１や２に開示の段差解消部材は、一応弾性体として働くものの、容易には変形され難く、該段差解消部材の頂部と段差の高い方の箇所との間に高さの差があると突出部分に躓いたりつま先を打付たりする虞れが残るのを避け難く、実際上、高さを合わせておく必要がある。
【０００５】
同様に、段差解消部材として、合成構成樹脂発泡体からなる傾斜板であって側縁が先端ほど薄くなるように成形したものを用いることも提案されている（特許文献３）。ここで、板の素材としては、メタロセン触媒を使用して重合したポリエチレン系樹脂を基材として過熱発泡して製造される発泡体を用いること等が提案されている。
【０００６】
しかしながら、この特許文献３の段差解消部材は、「木製の傾斜板を使用すると硬度は要求を満たすが、重い為、移動が不便であった」という問題意識でこれを解消することを目的として提案されているものであり、実際上、木の如く硬いものからなると解される。従って、この特許文献３の段差解消部材は、段差に厳密に一致する高さその他の形状を有する必要があり、使用場所に応じて個別にサイズを厳密に合わせる必要がある。仮に、サイズが合っていないと、段差が残るのを避け難い。
【先行技術文献】
【特許文献】
【０００７】
【特許文献１】実開平７−２９１８４号公報
【特許文献２】登録実用新案３０５６９１０号公報
【特許文献３】特開２００１−１１２６１５号公報
【考案の概要】
【考案が解決しようとする課題】
【０００８】
本考案は、前記諸点に鑑みなされたものであって、その目的とするところは、屋内の段差を解消し得る斜面を容易に与え得、且つ多少の高さの差が残っても足等で踏むことによって該差異が実際上解消され得る段差解消部材を提供することにある。
【課題を解決するための手段】
【０００９】
本考案の段差解消部材が、前記目的を達成すべく、床面に載置される底面と、低い床面部と高い床面部とをつなぐ傾斜面部とを備えた段差解消部材であって、柔軟な材料からなる。
【００１０】
本考案の段差解消部材は、「床面に載置される底面と、低い床面部と高い床面部とをつなぐ傾斜面部とを備える」が故に、段差を解消し得ることは勿論のこと、「柔軟な材料からなる」ので、仮に、段差解消部材の方が段差の高い方の部位よりも多少高くても、段差解消部材のうち該差異の分だけ突出した部位に、人が足等で載ることにより実際上踏み固めると、該部位が段差の高い方の部位と概ね同程度の高さまで下がった状態に長期間とどまる。従って、段差解消部材の高さと段差の高い方の部位の高さとの間に多少の差異があっても、該差異が、実際上、解消され得る。
【００１１】
また、本考案の段差解消部材は、「柔軟な材料からなる」ので、仮に、段差解消部材の方が段差の高い方の部位（「段差の高所」ともいう）よりも多少高くて段差解消部材のうち段差の高所から突出した部位に人の足のつま先等が当たっても、つま先が大きな衝撃を受ける虞れが少ない。
【００１２】
ここで、段差解消部材について、「柔軟」とは、単に変形し得るというだけではなく、力を受けた際に反作用（ないし衝撃）が比較的小さくなるように変形され得ることをいう。
従って、単に、弾性がある（押圧力に対して弾性変形する性質があっても、剛性が極めて高いような場合も含む）という意味ではない。
【００１３】
本考案の段差解消部材は、典型的には、ヒステリシス損のある材料からなる。
【００１４】
その場合、変形された際に元の状態に戻るとしても元の状態に戻るために相当程度の時間（例えば、1秒程度よりも十分に長く数秒程度〜数１０秒程度の間の時間）を要することになる。従って、仮に、段差解消部材の高さが段差の高さよりも多少高くても、人が踏んだ後ある程度の時間はその高さの差異が実際上なくなる。なお、本考案の段差解消部材は、典型的には、通常使用の条件下で短期間では大きな塑性変形が生じ難い程度には弾性材料である。従って、ヒステリシス損は、いわゆる弾性ヒステリシスに基づく、弾性ヒステリシス損である。但し、塑性変形が多少残ってもよい。その場合、段差解消部材の高さが段差の高さよりも多少高くても、使用しているうちに、段差解消部材の高さが段差の高さと実際上同じになってくる（人が踏んだ後その高さの差異が実際上なくなる状態に保たれる時間が徐々に長くなってくる）。従って、段差解消部材の高さと段差の高い方の部位の高さとの間に多少の差異があっても、該差異が、実際上、解消され得る。
【００１５】
本考案の段差解消部材は、典型的には、粘弾性のある材料からなる。
【００１６】
その場合、変形された際に元の状態に戻るとしても元の状態に戻るために要する時間が長くなる。従って、仮に、段差解消部材の高さが段差の高さよりも多少高くても、人が踏んだ後相当の間、その高さの差異が実際上なくなる。特に、粘弾性の故に多少弾性を欠く場合には、使用しているうちに、段差解消部材の高さが段差の高さと実際上同じになってきて、人が踏んだ後その高さの差異が実際上なくなる状態に保たれる時間が徐々に長くなり、最終的には、該差異が、実際上、解消されるようになる。この場合、段差解消部材は、典型的には、低反発弾性で、弾性が抑えられ粘性が高められて、ヒステリシス損失率の大きい衝撃吸収性になる。
【００１７】
本考案の段差解消部材では、典型的には、段差解消部材がＥＶＡ（エチレン−酢酸ビニル共重合体）の発泡体からなる。
【００１８】
その場合、上記のような特性が確実に実現され易い。なお、本考案の段差解消部材がＥＶＡの発泡体からなる場合、該段差解消部材の方が該段差解消部材が適用される段差よりも相当高さが高い場合には、段差解消部材の頂部の一部を切り落とせばよい。段差解消部材がＥＶＡの発泡体からなる場合には、当該切断は、例えば、カッターナイフで容易に行われ得る。その切断後においても、段差解消部材の方が多少高くても、本考案の段差解消部材は、上述のような特性を備えるので、人が躓いたりつま先をくじいたりする虞れを最低限にするように使用され得る。
【００１９】
ＥＶＡは、例えば、熱可塑性のＥＶＡ（エチレン−酢酸ビニル共重合体）からなる。ＥＶＡにおける酢酸ビニルの含量は、例えば、３０重量％程度以下である。但し、柔軟性が高くなるように酢酸ビニル含量がより高くてもよい。なお、所望ならば、ＥＶＡが架橋されたＥＶＡであってもよい。その場合、酢酸ビニル含量はより高い。
【００２０】
ＥＶＡは、典型的には、発泡体の形態である。気泡は、典型的には、独立気泡の形態である。但し、より低反発弾性になるように連通気泡でもよい。低反発弾性の程度は、ＥＶＡでは、酢酸ビニル含量によっても調整され得る。ＥＶＡが、場合によっては、発泡体でなくてもよい。
【００２１】
本考案の段差解消部材では、典型的には、底面の少なくとも一部に粘着性の層が形成されている。
【００２２】
その場合、段差解消部材を床面に押付けるだけで、該段差解消部材が容易且つ確実に固定され得る。
【００２３】
本考案の段差解消部材では、例えば、底面のうち段差解消部材の延在方向に沿った部分に溝部を備える。
【００２４】
その場合、ケーブルないしコード類を該溝部内に沿って這わせることが可能になり、配線等を配置し易い。
【００２５】
本考案の段差解消部材では、典型的には、傾斜面部の傾斜に沿う方向の長さが人の足の長さよりも小さい。
【００２６】
その場合、人の全体重が段差解消部材に係る虞れが低いので、段差解消部材が局所的に大きく凹む虞れが低い。なお、この観点では、傾斜面部の傾斜に沿う方向の長さが人の足の長さの数分の一以下であることが好ましい。ここで、人は成人を指す。小さな子供の場合は足の長さが小さいけれども、体重も小さいので、過大な荷重がかかる虞れが低くなる。
【図面の簡単な説明】
【００２７】
【図１】本考案の好ましい一実施例の段差解消部材を示したもので、（ａ）は斜視説明図、（ｂ）は底面説明図。
【図２】図１の（ａ）の段差解消部材を段差部に適用した例を示したもので、（ａ）は段差解消部材の高さと段差の高さとが実際上一致している場合の断面説明図、（ｂ）は段差解消部材の高さが段差の高さよりも多少高い場合の断面説明図、（ｃ）は段差解消部材の高さが段差の高さよりも相当高い場合の断面説明図、（ｄ）は段差解消部材の高さが段差の高さよりも相当高い場合における別の対処の仕方（幅を狭くして高さを低くすること）を示した断面説明図。
【考案を実施するための形態】
【００２８】
本考案の好ましい一実施の形態を添付図面に示した好ましい実施例に基づいて説明する。
【実施例】
【００２９】
本考案の好ましい一実施例の段差解消部材１は、図１の（ａ）及び（ｂ）に示したように、直角三角形Ｔの形態で相互に平行な側面ないし端面１０Ａ，１０Ｂ（両者を区別しないとき又は総称するときは符号１０で表す）と、該側面１０に対して直角に延びた底面２０、背面３０及び表面４０とを有する。側面１０Ａ，１０Ｂは、相互に平行でなくてもよい。その場合、少なくとも一方が直角三角形Ｔからずれた形状になる。
【００３０】
ここで、段差解消部材１は、柔軟で、ヒステリシス損が比較的大きく、実際上粘弾性があって、低反発弾性のＥＶＡ（エチレン−酢酸ビニル共重合体）の発泡体からなる。段差解消部材１は、また、木材の年輪様の模様を有する。但し異なる模様でも、無模様でもよい。段差解消部材１は、例えば、押し出し成形によって形成される。但し、他の手段で形成されてもよい。
【００３１】
この例では、直角三角形Ｔの底辺Ｔ１の長さ（底面２０の幅）Ｓ１は５ｃｍ程度、上下方向直立辺Ｔ２の高さ（背面３０の幅）Ｓ２は２ｃｍ程度、直角三角形Ｔの斜辺Ｔ３の長さ（表面４０の幅）Ｓ３は５．５ｃｍ程度である。ここで、斜辺Ｔ３の長さＳ３すなわち表面４０の幅Ｓ３が、人の足の長さよりも十分に小さければ、長さＳ３はより大きくても、より小さくてもよい。また、高さＳ２は、屋内に通常あって通常はそのまま放置されている程度の段差の大きさの範囲内であればより大きくてもより小さくてもよい。直角三角形Ｔの底辺Ｔ１と斜辺Ｔ３との角度αは、例えば２０度程度であって、斜辺Ｔ３の面４０に足の指先などをぶつける虞れがないように十分に小さい限り、より大きくてもよく、また、上述のように、斜辺Ｔ３の長さＳ３が人の足の長さよりも十分に小さく保たれ得る限り、角度αがより小さくてもよい。
【００３２】
底面２０は、段差解消部材１が床Ｆの表面Ｆ１上に載置された際に、該床面Ｆ１上に当接せしめられる。底面２０のうち幅方向Ｗに離れた部位２１，２２には、その長手方向Ｌに沿って延びた粘着材層５０Ａ，５０Ｂ（両者を区別しないとき又は総称するときは符号５０で表す）が形成されている。部位２１，２２は、底面２０の幅方向両端２３，２４の近傍である。粘着材層５０Ａ，５０Ｂは、その表面５１Ａ，５１Ｂ（両者を区別しないとき又は総称するときは符号５１で表す）が床面Ｆ１に押付けられると、該床面Ｆ１に密着される。なお、微粘着性の粘着材層５０は、未使用状態ではその表面５１が剥離し易い剥離紙（図示せず）で覆われていて、使用の際に該剥離紙が剥がされる。なお、粘着材層５０は、二列の代わりに三列以上でも一列だけでも、全面に均等に形成されていてもよい。
【００３３】
底面２０には、図１の（ａ）及び（ｂ）において想像線５５で示したように、側面１０Ａ，１０Ｂ間において、底面２０の長手方向Ｌの全長にわたって延びた溝部５５が形成されていてもよい。溝部５５がある場合、該溝部５５は、例えば、床面Ｆ１に沿って延びる電気配線や信号線の如きケーブルのような細長いものを覆って内部に収容し得る。溝部５５は、典型的には、Ｌ方向と平行に延びるけれども、所望ならば、該Ｌ方向に対して斜めに延びたり、直線状の代わりに非直線状に延びていてもよい。なお、溝部５５は、段差解消部材１が該溝部５５の存在の故に中央部で凹み易くなるのを避けるべく、最低限の深さにとどめておことが好ましい。ＥＶＡの発泡体からなる段差解消部材１では、比較的変形し易く該変形が短時間では完全には元に戻りにくいことから、溝部５５の凹みが比較的小さくても（場合によっては実際上溝部５５がなくても）、底面２０にケーブル類が実際上常時押付けられていると、底面２０のうち当該被押付け部に該ケーブル類を収容する凹みが実際上生じ得る。
【００３４】
背面ないし奥面３０は、典型的には、底面２０に対して直角に立上っていて、典型的には、図１の（ａ）において想像線７０で示し、図２の（ａ）において実線７０で示したように、段差部２の高所を形成する高所形成要素７０の高所形成側面７１に実際上当接する。ここで、高所形成要素７０は、例えば、敷居の如く、低い床面部としての床面Ｆ１に対して多少高くなった高い床面部としての上面７２を備える部分を指す。なお、所望ならば、段差解消部材１の変形を容易にすべく、背面３０と高所形成要素７０の高所形成側面７１との間に多少の隙間が残るようにしてもよい。但し、ＥＶＡの発泡体からなる段差解消部材１は、比較的容易に変形可能であるから、そのような意図的な隙間はなくてもよい。また、逆に、ＥＶＡの発泡体からなる段差解消部材１が変形によって上面７２よりも低くなってしまう虞れを最低限に抑えるべく、奥面３０を高所形成側面７１に実際上密着させるように段差解消部材１を床面Ｆ１上に配設・密着させてもよい。
【００３５】
段差解消部材１の長手方向Ｌの長さＬ１は、所望の長さに応じて、選択され得る。長さＬ１は、例えば、段差部２の高所形成要素７０のＬ方向の長さに実際上一致していてもよい。但し、高所形成要素７０の長手方向Ｌの両端部まで延びると邪魔になる場合には、高所形成要素７０の長手方向Ｌの長さのうち段差２を解消する必要のある所望範囲にわたってＬ方向に延びるような長さに設定される。
【００３６】
典型的には、段差解消部材１としては、横断面が直角三角形Ｔである細長い三角柱を準備しておき、該三角柱から所望長さを切り出すようにすればよい。但し、所望ならば、操作し易い長さの三角柱を準備しておいて、必要ならば、床面Ｆ１において実際上つながるように継ぎ足してもよい。
【００３７】
次に、以上の如く構成された本考案の好ましい一実施例の段差解消部材１が段差部２に適用する場合を例にとって、図２の（ａ）〜（ｄ）基づいて、より具体的に説明する。
【００３８】
床Ｆの面すなわち床面Ｆ１と高所形成要素７０の側面７１及び上面７２とによって形成される段差部２に対して、典型的には、図２の（ａ）に示した通り、底面２０の微粘着性の粘着材層５０Ａ，５０Ｂが床面Ｆ１に密着し背面３０が実際上高所形成要素７０の側面７１に当接するように、高所形成要素７０の側面７１の高さＨと概ね同程度の高さＳ２の段差解消部材１を配置する。ここで、Ｓ２≒Ｈ（概ねＳ２＝Ｈ）である。
【００３９】
この場合、段差部２の高さの差Ｈが、段差解消部材１によって実際上解消されるので、躓いたり、つま先をぶつけたりすることなく、段差部２を通り得る。ここで、段差解消部材１が、ＥＶＡの発泡体からなることから、ある程度の期間継続的に使用していると、表面４０が多少窪んできて、図２の（ａ）において、想像線４０ｉで示すように変化してくるとしても、段差部２のところにおける段差は長期間実際上解消された状態に保たれ得る。
【００４０】
なお、実際には、高所形成要素７０の側面７１の高さＨに一致するさまざまな高さＳ２の段差解消部材１を準備しておくことは必ずしも容易ではない。そのような場合、図２の（ｂ）に示したように、大まかには、Ｓ２＝Ｈであるけれども、高所形成要素７０の側面７１の高さＨと比較して多少大きめの高さＳ２の段差解消部材１を用いて、図２の（ａ）の場合と同様に、底面２０の粘着材層５０Ａ，５０Ｂが床面Ｆ１に密着し背面３０が実際上高所形成要素７０の側面７１に当接するように、配置する。
【００４１】
この場合、図２の（ｂ）に示したように、段差解消部材１のうち高所形成要素７０の上面７２と面一の実線Ｊ１よりも上の部分Ｊが、高所形成要素７０の上面７２よりも上方に突出する。但し、この突出長は、数ｍｍ程度（例えば、２〜３ｍｍ程度）以下（又は大きくても５ｍｍ程度以下）であって、比較的小さい。
【００４２】
このとき、人が移動する毎にこの突出部分Ｊに対して荷重が直接的にかかる。ここで、突出部分Ｊを含めてこの段差解消部材１がＥＶＡの発泡体でできていることから、突出部分Ｊが人の足で踏まれて繰り返し荷重を受けると、該突出部分Ｊの上端Ｊ２の高さＳ２が実際上高所形成要素７０の側面７１の高さＨに一致し、該突出部分Ｊの上端Ｊ１が実際上高所形成要素７０の上面７２に一致するまで徐々に下がる。すなわち、少なくとも突出部分Ｊを含む領域Ｋの全体が圧縮変形されて、突出部分Ｊの上端Ｊ２が、図２の（ｂ）において実線Ｊ１で示した線のところまで下がってきて概ね重なるような変形が生じる。
【００４３】
従って、当初は多少の突出（逆向きの段差）が残っていても、使用により、該逆向きの段差が徐々に解消されて、実際上段差がない状態に近づき得る。なお、段差解消部材１は柔軟であるので、多少（例えば、２〜３ｍｍ程度）突出していて該突出部に指先等が当たっても、指先に対して実際上衝撃を与えないように多少へこみ得るから、躓いたり指先をくじいたりする虞れが最低限に抑えられ得る。
【００４４】
一方、図２の（ｃ）において想像線Ｎ２で示したように、段差解消部材１の高さＳ２が高所形成要素７０の側面７１の高さＨよりも相当大きい（Ｓ２＞＞Ｈ）場合、段差解消部材１を上述のように段差部２のところにおいて床面Ｆ１上に載置固定した後、高所形成要素２の高さＨに対応する高さ位置Ｎ１を越える部分（図２の（ｃ）において想像線Ｎ２で示した部分）Ｎを、カッターナイフ等で、切断する。なお、所望ならば、段差解消部材１を配置する前に余分の部分Ｎを切断してもよい。このとき、切断により形成される部分Ｎ２の高さＳ２ａは典型的には高所形成要素７０の高さＨと実際上一致するけれども、場合によっては、図２の（ｂ）において説明したような使用による高さの適合化が進むことを考慮すると、高さＨよりも多少高くてもよい。この場合にも、段差部２を実際上解消し得ることは、上述の場合と同様である。
【００４５】
更に、段差解消部材１の高さＳ２の方が高所形成要素７０の高さＨよりも高い場合、所望ならば、図２の（ｄ）に示したように、高さＳ２ｂが高所形成要素７０の高さＨに概ね一致する幅方向Ｗの位置Ｐｗで、段差解消部材１を予めカッターナイフ等で切断して切断側面３０ａを形成しておき、高所形成要素７０の高さＨに実際上一致する高さＳ２ｂの段差解消部材１を、図２の（ａ）に示したのと同様に、粘着層５０のある底面２０で床面Ｆ１上に載置すると共に新たに形成した側面３０ａで高所形成要素７０の側面７１に当接する位置に配置してもよい。なお、この場合、粘着層５０Ｂの全体が切断によって除去されるのを避け得るように、粘着層５０Ｂは幅方向端部２４よりも十分に内側までの範囲にわたって配置されていることが好ましい。
【００４６】
以上においては、高所形成部材７０の側面７１が床面Ｆ１に対して直角な面であることを想定して説明したけれども、該側面７１が床面Ｆ１に対して傾斜している場合、該傾斜に概ね又は厳密に一致する傾斜面になるように背面３０を予め切断しておいてもよい。傾斜が大きい場合には、その必要性は高くなる。
【符号の説明】
【００４７】
１  段差解消部材
２  段差部
１０，１０Ａ，１０Ｂ  側面
２０  底面
２１，２２  部位
２３，２４  端
３０  背面
３０ａ  切断側面（背面）
４０  表面
４０ｉ  仮想的な変形表面
５０，５０Ａ，５０Ｂ  粘着材層
５１，５１Ａ，５１Ｂ  表面
５５  溝部
７０  高所形成要素
７１  高所形成側面
７２  上面
Ｆ  床
Ｆ１  床面
Ｊ，Ｎ  突出部分
Ｊ１，Ｎ１  高所形成要素の上面に対応する高さ位置
Ｊ２，Ｎ２  上端
Ｋ  領域
Ｌ  長手方向
Ｐｗ  幅方向位置
Ｓ１  底辺の長さ
Ｓ２，Ｓ２ａ，Ｓ２ｂ  直立辺の高さ
Ｓ３  斜辺の長さ
Ｔ  直角三角形
Ｔ１  底辺
Ｔ２  直立辺
Ｔ３  斜辺
Ｗ  幅方向
α  角度
【図１】
0003163252.tif 000003
【図２】
0003163252.tif 000004